(57)【特許請求の範囲】
【請求項１】
エンジンを制御するエンジン制御部と、前記エンジンに接続されたダイナモメータの負荷トルクを制御するダイナモメータ制御部と、前記エンジンの出力軸に接続され前記エンジン制御部により駆動する前記エンジンの回転数とトルクを少なくとも含む測定データを検出する検出器とを備え、前記エンジン及びダイナモメータを駆動して行なう台上試験で前記エンジンの性能を計測するエンジン計測装置において、
全ての測定データを、一定値に安定している状態で得る定常試験と、測定データを、一種類以上が変動している状態で得る過渡試験について、それぞれの試験条件の設定を行なうシステム制御部と、
前記定常試験実行時に、前記検出器から得られた測定データに基づいて、前記エンジンの定常状態における定常モデルを作成し、前記定常モデルのシミュレーションを行なう定常モデルシミュレーション部と、
前記過渡試験実行時に、前記検出器から得られた測定データに基づいて、前記エンジンの過渡状態における過渡モデルを作成し、前記過渡モデルのシミュレーションを行なう過渡モデルシミュレーション部と、
前記定常モデルと前記過渡モデルとを比較して、前記過渡モデルの信頼性を確保し、前記定常モデルのシミュレーション結果と前記過渡モデルのシミュレーション結果との比較を行ない、双方の一致度により結果を評価して、前記定常試験及び過渡試験の有効性・妥当性を評価する評価部と、を備えるエンジン計測装置であって、
前記システム制御部は、前記定常試験で得られた測定データの中から、前記エンジンの性能を表すエンジン性能パラメータと、前記エンジンの性能に影響を及ぼす制御パラメータとを選択決定し、これらパラメータを前記モデルの作成に反映させるものであり、決定された前記制御パラメータの中から、少なくとも１種類以上の制御パラメータを、過渡試験実行中、時間的・数値的に連続変化させる過渡運転パラメータとすることを特徴とするエンジン計測装置。
【請求項２】
前記定常モデル及び過渡モデルの作成及び最適化には、前記エンジン性能パラメータを応答変数とし、前記制御パラメータを要素とするｎ次回帰関数モデルによる応答曲面法が用いられることを特徴とする請求項１に記載のエンジン計測装置。
【請求項３】
前記システム制御部は、前記評価部による前記定常モデルと過渡モデルの比較結果に基づいて、定常試験の試験条件の設定を一部ないしは全て、省略可能とすることを特徴とする請求項１または２のいずれかに記載のエンジン計測装置。
【発明の詳細な説明】
【技術分野】
【０００１】
本発明は、エンジン計測装置に関する。
【背景技術】
【０００２】
従来、開発ないし製造されたエンジンが所定の性能を備えているかを評価するため、試験対象となるエンジンを台上（エンジンベンチ）に取付け、エンジンの出力軸にトルク計及び回転数計を介してダイナモメータを接続し、ダイナモメータを運転して、エンジン単体の性能を測定・評価する台上試験が行なわれている。
【０００３】
近年は、排ガス規制が厳しくなっている一方で、燃費性能等の各種性能の向上が求められている。しかし、燃費性能の向上と、排ガス削減とは、本来相反するものであり、これらの両立が可能なエンジン最適制御が要求されている。
【０００４】
また、エンジンは、ＥＣＵを用いて電子的に制御されるのが一般的であるが、エンジンの燃焼方式の進歩、構造の複雑化に伴い、制御パラメータが増加している。
【０００５】
例えば、ＥＣＵが、ガソリンエンジンの燃焼を制御する際に必要となるパラメータは、従来では、燃料噴射タイミング、噴射時間、点火タイミングの３パラメータであったが、最近では、吸入空気温度、空気流量、水温、クランク温度、排気温度、バッテリー温度、酸素濃度等、各種センサーの接続により、様々な種類のデータをモニター出来るようになったため、上記３パラメータに関する制御の他に、バルブ制御、燃料噴射圧制御、進角値制御等も可能となり、エンジン性能評価には少なくとも８パラメータが必要とされだしている。
【０００６】
ＥＣＵ制御に用いるパラメータを最適化するためには、実際に、エンジンを駆動させて台上試験を行なう必要があるが、この台上試験において、１パラメータ毎に測定点を３点とし、合計３パラメータにつき試験を行なうとすると、３３回の測定が必要となる。これが、８パラメータにつき試験を行なうとなると、３８回の測定が必要となり、単純計算で試験時間が２４３倍となってしまう。更に、１パラメータ毎の測定点数を増やして、試験精度を上げれば上げるほど、試験時間が長くなってしまう。また、パラメータ数や測定点が増える程、試験時間のみならず、評価・解析にも時間がかかる。
【０００７】
これらのパラメータの増加に対応して、測定時間の短縮のため、及び、多数のデータから最適値を決定するため、数々の試みがなされている。
【０００８】
例えば、パラメータ間の関係を明確にするために、エンジンを含む車両の動作・機能を数式、図式、グラフ等によってモデル化する手法及び、試験時間の短縮や制御の安定化については、特許文献１や特許文献２に記載されている。また、エンジン性能の評価に必要なパラメータを効果的に測定するための実験計画法の取入れも一般に行なわれている。
【０００９】
また、特許文献３には、小型アクチュエータについて、上記のモデル化手法を用いて駆動系モデルを作成し、更に、最適化手法の１つである応答曲面法を取入れて、パラメータの最適化を行なうことが記載されている。
【００１０】
しかし、これらの手法を採用した従来のエンジン試験装置には、以下に説明する技術的な課題があった。
【００１１】
【特許文献１】特開２００４−１７７２５９号公報
【特許文献２】特開２００３−２９４５８４号公報
【特許文献３】特開２００５−９２６４０号公報
【発明の開示】
【発明が解決しようとする課題】
【００１２】
特許文献１〜特許文献３に記載のモデル化手法、実験計画法、応答曲面法のような最適化手法に用いられるデータは、エンジン、負荷等の被測定物の状態が一定になった定常状態において得ているが、データが定常状態に落ち着くまでには時間がかかるものであり、パラメータの最適化に要する時間の短縮化に直接寄与しているものとは言い難い。
【００１３】
これに対し、最近では、高速応答センサ、高速Ａ／Ｄ変換技術、高速信号処理の技術向上により、エンジン、負荷の状態が変動している時点でデータを採取する過渡試験方法が試されるようになってきた。
【００１４】
この過渡試験方法は、エンジン・負荷の状態が安定化する前段階でデータを採取することが出来るため、測定時間の短縮に直接的に貢献するものであり、注目されている手法であるが、従来から行なわれている手法によるデータとの整合性の検証が進んでおらず、現時点では標準的な測定方法として認められていなかった。
【００１５】
本発明は、このような従来の問題点に鑑みてなされたものであって、その目的とするところは、定常試験方法と過渡試験方法で得られたデータの比較・評価を行なうことで、測定データ及び測定データから得られるエンジン評価結果の信頼性が高まるとともに、パラメータに応じて適宜、定常試験と過渡試験の選択が出来、結果として短期間で効率よくエンジン性能の測定・解析・評価を行なうことが出来るエンジン計測装置を提供することにある。
【課題を解決するための手段】
【００１６】
上記目的を達成するため、本発明は、エンジンを制御するエンジン制御部と、前記エンジンに接続されたダイナモメータの負荷トルクを制御するダイナモメータ制御部と、前記エンジンの出力軸に接続され前記エンジン制御部により駆動する前記エンジンの回転数とトルクを少なくとも含む測定データを検出する検出器とを備え、前記エンジン及びダイナモメータを駆動して行なう台上試験で前記エンジンの性能を計測するエンジン計測装置において、全ての測定データを、一定値に安定している状態で得る定常試験と、測定データを、一種類以上が変動している状態で得る過渡試験について、それぞれの試験条件の設定を行なうシステム制御部と、前記定常試験実行時に、前記検出器から得られた測定データに基づいて、前記エンジンの定常状態における定常モデルを作成し、前記定常モデルのシミュレーションを行なう定常モデルシミュレーション部と、前記過渡試験実行時に、前記検出器から得られた測定データに基づいて、前記エンジンの過渡状態における過渡モデルを作成し、前記過渡モデルのシミュレーションを行なう過渡モデルシミュレーション部と、前記定常モデルと前記過渡モデルとを比較して、前記過渡モデルの信頼性を確保し、前記定常モデルのシミュレーション結果と前記過渡モデルのシミュレーション結果との比較を行ない、双方の一致度により結果を評価して、前記定常試験及び過渡試験の有効性・妥当性を評価する評価部と、を備えるエンジン計測装置であって、前記システム制御部は、前記定常試験で得られた測定データの中から、前記エンジンの性能を表すエンジン性能パラメータと、前記エンジンの性能に影響を及ぼす制御パラメータとを選択決定し、これらパラメータを前記モデルの作成に反映させるものであり、決定された前記制御パラメータの中から、少なくとも１種類以上の制御パラメータを、過渡試験実行中、時間的・数値的に連続変化させる過渡運転パラメータとするようにした。
【００１７】
尚、本明細書において、定常試験、過渡試験の定義は以下の通りである。
定常試験：制御パラメータを一定時間に一定値に保った状態で運転して、全ての測定データが安定してから、測定データを取得する試験。
過渡試験：制御パラメータを時間的・数値的に連続変化させて運転して、一種類以上の測定データが変動している状態で、測定データを取得する試験。
【００１８】
このように構成されたエンジン計測装置によれば、定常試験と過渡試験で得られた両測定データの比較・評価を行なうことで、測定データ及び測定データから得られるエンジン評価結果の信頼性が高まるとともに、測定データの種類に応じて適宜、定常試験と過渡試験の選択が出来、結果として効率よく短期間でエンジン性能の測定・解析・評価を行なうことが出来るようになる。
【００２１】
上記構成によれば、定常試験で用いられた制御パラメータのうちの１種類以上を、過渡試験における過渡運転パラメータとして用いるので、先に行なわれた定常試験の結果に基づいて効率よく、過渡試験条件の設定、過渡試験の実施が行なわれるようになる。
【００２２】
また、両試験に、同じ種類の制御パラメータを用いることで、定常モデルと過渡モデルの相互比較が可能となり、過渡状態のデータに基づいて得られたモデルの信頼性、ひいては、エンジン性能の信頼性が確保され、従来の定常試験に代わり、短時間で過渡状態のデータから、エンジン性能評価に必要なトルクを求めることが出来るようになる。
【００２３】
また、前記定常モデル及び過渡モデルの作成及び最適化には、前記エンジン性能パラメータを応答変数とし、前記制御パラメータを要素とするｎ次回帰関数モデルによる応答曲面法を用いることができる。さらに、前記システム制御部は、前記評価部による前記定常モデルと過渡モデルの比較結果に基づいて、定常試験の試験条件の設定を一部ないしは全てを、省略可能とすることができる。
【００２４】
この構成によれば、評価部による前記定常モデルと過渡モデルの比較結果に基づき、制御パラメータに応じて、過渡試験の結果をエンジン性能の評価に用いるか、定常試験の結果をエンジン性能の評価に用いるかが、適宜選択可能となるので、試験・評価にかかる時間の短縮、作業の効率化が図られる。
【００２５】
また、より多くの制御パラメータが過渡運転パラメータとして用いられることが実証されれば、自ずと、エンジン試験が効率的に行なわれるようになり、エンジン性能測定・評価の時間短縮が図られることとなる。
【発明の効果】
【００２６】
本発明にかかるエンジン計測装置によれば、定常試験と過渡試験で得られた両測定データの比較・評価を行なうことで、測定データ及び測定データから得られるエンジン評価結果の信頼性が高まるとともに、測定データの種類に応じて適宜、定常試験と過渡試験の選択が出来、結果として効率よく短期間でエンジン性能の測定・解析・評価を行なうことが出来るようになる。
【００２７】
定常試験で用いられた制御パラメータのうちの１種類以上を、過渡試験における過渡運転パラメータとして用いるので、先に行なわれた定常試験の結果に基づいて効率よく、過渡試験条件の設定、過渡試験の実施が行なわれるようになる。
【００２８】
また、両試験に、同じ種類の制御パラメータを用いることで、定常モデルと過渡モデルの相互比較が可能となり、過渡状態のデータに基づいて得られたモデルの信頼性、ひいては、エンジン性能の信頼性が確保され、従来の定常試験に代わり、短時間で過渡状態のデータから、エンジン性能評価に必要なトルクを求めることが出来るようになる。
【発明を実施するための最良の形態】
【００２９】
以下、本発明の好適な実施の形態について、添付図面に基づいて詳細に説明する。図１は、本実施例のエンジン計測装置１の概略接続構成を示す図であり、エンジン計測装置１は、試験対象たるエンジン１３、エンジン１３に接続されたダイナモメータ１５、エンジン１３及びダイナモメータ１５を固定する架台（エンジンベンチ）１６を備える。このエンジン計測装置１は、エンジン１３以外の実機部分（トランスミッション、タイヤ等）を接続することなくエンジン１３単体 での性能測定・評価を行なう際に用いられ、このエンジン計測装置１を用いて行なう試験を、一般に台上試験という。
【００３０】
本実施例では、エンジン１３の出力軸には、ユニバーサルジョイント１４ａ等の連結手段を介してトルク伝達軸１４の一端が接続されており、トルク伝達軸 １４の他端には回転数検出器、トルクメータ等の各種検出器２が接続され、検出器２を介してダイナモメータ１５に接続している。また、エンジン１３は、エンジン保持機構１６ａを介して架台１６に保持されている。
【００３１】
本実施例のダイナモメータ１５は、エンジン１３の低速回転から最大能力での高速回転までの急激な回転数Ｎの変化が発生した場合にも各回転数Ｎに応じて、検出器２から安定な出力を得ることが可能なように、低慣性ダイナモメータとなっている。低慣性ダイナモメータは、後述するように電流・電圧を可変させることで負荷トルクを設定することが可能であり、エンジン１３の回転に伴う純粋なトルクを検出することが出来る。
【００３２】
尚、本実施例では、トルク伝達軸１４とダイナモメータ１５に介在する検出器２においてトルクを検出することとするが、ダイナモメータ１５の出力からトルクを検出することも可能である。また、トルク伝達軸１４には、検出器２の他、クラッチ、変速機、各種の連結手段等が台上試験の目的に応じて挿入されていてもよい。
【００３３】
更に、エンジン計測装置１は、エンジン制御部３、ダイナモメータ制御部４、測定部５、定常モデルシミュレーション部７、過渡モデルシミュレーション部８、評価部９、システム制御部１１、操作部１２、および表示部１０を備えている。
【００３４】
エンジン制御部３は、エンジン１３に接続され、エンジン１３のスロットル開度を制御する手段である。エンジン制御部３がエンジン１３に所定のスロットル開度を与えることによって、エンジン１３は回転し、その回転はトルク伝達軸１４を介してダイナモメータ１５に伝達される。つまり、エンジン１３の回転数は、スロットル開度を制御することによって制御されるものである。
【００３５】
尚、エンジン性能を表すパラメータ（エンジン性能パラメータ）としては、トルク、回転数等が挙げられ、これらトルク、回転数を変化させる要因となるパラメータ（制御パラメータ）としては、燃料注入量、空気注入量、燃料と空気の混合比、更にガソリンエンジンの場合には点火時間、ジーゼルエンジンの場合には燃料噴射制御方法等の様々なパラメータがある。尚、エンジン性能パラメータを、いずれか１種類に固定する場合には、残りのエンジン性能パラメータは、制御パラメータとして扱われる。
【００３６】
また、エンジン制御部３は、本エンジン計測装置１内で生成されるエンジンの制御信号に基づいてエンジン１３を駆動させる手段であり、通常はＥＣＵ、もしくはＥＣＵにバイパス回路を付加したエンジン制御回路で実現される。また、エンジン制御部３からはエンジンの動作状態を示すスロットルポジション、クランク角、吸気温度、排気温度、インジェクション時間、吸気・排気タイミング、進角値の様な信号が創出される。また、エンジン制御部３はＥＣＵの代わりに仮想ＥＣＵと称するＤＳＰ（Ｄｉｇｉｔａｌ  Ｓｉｇｎａｌ  Ｐｒｏｃｅｓｓｏｒ）で実現される場合もある。
【００３７】
ダイナモメータ制御部４は、ダイナモメータ１５に接続され、ダイナモメータ１５に印加する電流・電圧を可変制御する手段である。ダイナモメータ１５の電流・電圧を可変制御することによってダイナモメータ１５に接続されたエンジン１３の負荷トルクが制御される。尚、本実施例で使用するダイナモメータ１５ は、低慣性ダイナモメータであり、ダイナモメータ１５で検出される負荷トルクと、検出器２で検出される軸トルクは実質的に同一であるから、以下において負荷トルクと軸トルクは同義であるものとし、以下、出力トルク又は単にトルクと称するものとする。
【００３８】
測定部５は、エンジン制御部３及び検出器２からのエンジン１３の動作状態を示す信号を測定して入力する手段であり、具体的には、エンジン制御部３からモニターされるエンジン状態を表すデータや、検出器２から出力されるデータを取り入れる入力回路を含んだ入力部５１、入力部５１に入力されたデータを保存するデータメモリ５２、データメモリ５２に保存されたデータについて、ノイズ除去（フィルタ）処理等の信号処理を行なう信号処理部５３で構成される。
【００３９】
検出器２からは、例えば、回転数やトルク等のデータが出力され、またエンジン制御部３からはスロットル開度等のデータが出力される。尚、スロットル開度等のエンジン制御部３から出力されるデータは、システム制御部１１から直接測定部５に入力されてもよいし、またエンジン１３に設けられたスロットル開度検出器等からエンジン制御部３を介して入力されてもよい。
【００４０】
測定部５（入力部５１）は、入力されるデータがアナログ信号である場合には、Ａ／Ｄ変換器を備えており、デジタル信号に変換される。入力されるデータがデジタル信号である場合にはＡ／Ｄ変換器は不要であるが、いずれにせよ、入力される複数のデータは、信号処理部５３での処理のため、相互に時間的同期がとれている必要がある。もちろんその同期化処理が、信号処理部５３において行なわれても構わない。
【００４１】
データメモリ５２は、入力部５１に入力されたデータを一時格納する手段であり、信号処理部５３での信号処理途中のデータ、及び信号処理結果のデータを一時格納することも出来る。
【００４２】
信号処理部５３は、データメモリ５２に格納されたデータに基づいて、各種の演算を行なう手段である。信号処理部５３には、例えば、データのノイズを除去するノイズ除去器（フィルター）、加減乗除器、微分積分器、平均値演算器、標準偏差演算器、データ度数等の計数器（カウンタ）、周波数解析器（ＦＦＴ）等、公知の演算器が含まれる。
【００４３】
エンジンを実動作させてエンジン性能評価のための台上試験を行なう場合、最適なエンジン性能パラメータ、制御パラメータを設定する方法として、実験計画法（ＤｏＥ）により各種パラメータ選択を行うことが行なわれている。また、測定されたデータから、選択されたパラメータの有効性を求める手法としては、多変量解析手法により応答曲面を作成する方法が用いられている。
【００４４】
本実施例でも、試験条件の設定、エンジン性能パラメータ・制御パラメータの選択、及びこれらパラメータの最適化方法は、実験計画法、及び多変量解析手法による応答曲面法を用いている。
【００４５】
尚、応答曲面法とは、エンジンのモデル作成方法、及び作成されたモデルの構成要素を最適化する手法としてしばしば用いられる手法であり、この応答曲面法によれば、エンジンの動作・機能を数式化したモデルは、次式に示すｎ次回帰モデル式で表される。
【００４６】
【数１】
0004566900.tif 000002
【００４７】
この数式は、データの多変量解析により導かれる。多変量解析においては、回転数及びトルクのようなエンジン性能を表すデータは、応答変数（ｆ）として表され、上述の制御パラメータは、要素（ｘｉ，ｘｊ）として表される。エンジンのモデル化及びモデルの最適化に有効とされる要素は、この解析結果に基づいて、適宜選択決定され、数１の方程式に用いられる。尚、応答変数を１種類とする場合には、回転数ないしはトルクのいずれかが、要素となる場合もある。
【００４８】
この応答曲面法によるモデルの作成方法は、まず、数１のｆ、ｘｉ、ｘｊで示される応答変数及び要素として、各パラメータを選択する。例えば、ｘｉはスロットル開度、ｘｊは回転数、fはトルクというように予め設定を行なう。そして、台上試験を行ない、入力部５１に入力されたスロットル開度、回転数、及びトルクのデータに、信号処理部５３で、フィルター、時間軸補正等の信号処理を加えた後、モデル作成部７１，８１でｎ次回帰演算等の周知の統計処理を行い、数１に示された各要素の係数βを求め、ｎ次回帰モデル式を算出する。尚、モデル作成部７１，８１で行なわれる処理の一部が、信号処理部５３で予め行なわれていてもよい。
【００４９】
このｎ次回帰モデル式を、表示部１０等の表示画面上に応答曲面表示することにより、視覚的にエンジン性能パラメータと、制御パラメータとの関係を一目瞭然に把握することができ、また、各要素を切り替えて表示させることにより、各要素のエンジン性能パラメータに与える影響も見ることが出来る。
【００５０】
しかし、この応答曲面法によるモデルの作成方法及び最適化方法は本発明の主要部分では無く、台上試験が短時間で実施でき、また、シミュレーションを行ないながら、エンジンをモデル化する際のパラメータの選択及び最適化が行なえる方法であれば他の方法でも良い。
【００５１】
システム制御部１１は、エンジン制御部３、ダイナモメータ制御部４、測定部５、後述する定常モデルシミュレーション部７、過渡モデルシミュレーション部８、評価部９、表示部１０及び操作部１２の各制御を行なう手段である。尚、システム制御部１１は、例えば、図示しない外部からの指示に基づいて動作するものであってもよい。また、エンジン制御部３がＥＣＵであってもよく、更に、エンジン制御部３がシステム制御部１１を兼用していてもよい。
【００５２】
また、システム制御部１１は、上述した実験計画法等に基づいて、台上試験の試験条件及び、入力部５１に取り込むデータの種類を選択・決定し、後述する定常モデルシミュレーション部７、過渡モデルシミュレーション部８において、どのデータをエンジン性能パラメータ及び制御パラメータとするかの選択・決定を行なう手段でもある。
【００５３】
定常モデルシミュレーション部７、過渡モデルシミュレーション部８は、それぞれ、測定部５で得られたデータに基づいて、エンジンの定常動作、過渡動作に対するモデルを作成し、作成したモデルでエンジン制御部３及びダイナモ制御部４を制御してシミュレーションを行なう手段であり、それぞれ、モデル作成部７１，８１、データメモリ７２，８２、シミュレーション部７４，８４、検証部７３，８３を有する。
【００５４】
モデル作成部７１，８１は、システム制御部１１でエンジン性能パラメータに影響すると思われる制御パラメータが任意の数だけ選択された後、前述のｎ次回帰モデル式、応答曲面表示等の手法を用いて、トルク等のエンジン性能パラメータと、選択された制御パラメータとの関係を式、グラフ等で表現したモデルを作成し、これをデータメモリ７２，８２に格納する手段である。尚、制御パラメータの選択が、システム制御部１１ではなくこのモデル作成部７１，８１で行なわれてもよい。
【００５５】
尚、モデル作成部７１，８１には、エンジンのモデルを作成する他、モデルの再作成・修正・パラメータ値調整等を行なうことも含まれる。また、以降において、定常モデルシミュレーション部７で作成されたモデルは定常モデルと呼ばれ、過渡モデルシミュレーション部８で作成されたモデルは過渡モデルと呼ばれることがある。
【００５６】
データメモリ７２，８２は、モデル作成部７１，８１で作成されたモデルを格納する手段である。
【００５７】
シミュレーション部７４，８４は、モデル作成部７１，８１で作成されたモデルに基づいて仮想シミュレーション、またはエンジン制御部３及びダイナモ制御部４を制御の上で、実機シミュレーションを行なう手段である。
【００５８】
検証部７３，８３は、シミュレーション部７４，８４のシミュレーション結果と、実測値とを比較してモデルの有効性・妥当性を検証する手段である。シミュレーション回数を増やして、シミュレーションの都度、制御パラメータの値を修正することで、より正確なモデルの作成が図られる。
【００５９】
尚、これらのモデルシミュレーション部７，８の相違は、モデル作成に用いられるデータが、エンジンの定常状態で得られた定常試験データか、過渡状態で得られた過渡試験データかの相違であり、名称が同じ手段の機能・内容等は基本的に同じである。
【００６０】
本明細書において、定常状態とは、測定される全てのデータが、一定時間、一定値に安定している状態（各データの時間微分項が０とみなされる状態）を指し、測定データを定常状態で得る試験を定常試験という。
【００６１】
一方、過渡状態とは、データのいずれか１つでも、時間的・数値的に一定値に安定せず、振幅を繰り返すようにして変動している状態を指し、測定データを過渡状態で得る試験を過渡試験という。ほとんどの物理化学現象は、過渡状態を経て定常状態に移行するのが一般的である。
【００６２】
評価部９は、モデルシミュレーション部７，８で作成され、シミュレーションされ、制御パラメータの適宜修正が行なわれたモデルが、有効ないし妥当なものであるかを評価する手段であり、本実施例では、定常モデルシミュレーション部７でのシミュレーション結果と、過渡モデルシミュレーション部８でのシミュレーション結果とを比較する比較部９２より構成されている。
【００６３】
尚、評価部９では、定常モデルと過渡モデルの比較評価を行なう他、試験条件の設定の妥当性、測定部５でのデータやシミュレーション部７４，８４でのシミュレーション結果の妥当性、各種パラメータの比較によるエンジン性能パラメータに影響する制御パラメータ選択の妥当性、各シミュレーション結果とエンジンの目標性能との比較・評価が行なわれてもよい。
【００６４】
このように評価部９で評価を行ない、定常試験と過渡試験で得られた両測定データの比較・評価を行なうことで、測定データ及び測定データから得られるエンジン評価結果の信頼性が高まるとともに、測定データの種類に応じて適宜、定常試験と過渡試験の選択が出来、結果として効率よく短期間でエンジン性能の測定・解析・評価を行なうことが出来るようになる。 
【００６５】
また、過渡状態のデータから得られたモデルと、定常状態のデータから得られたモデルとを相互に比較することにより、過渡状態のデータに基づいて得られたモデルの信頼性、ひいては、エンジン性能の信頼性が確保され、従来の定常試験に代わり、短時間で過渡状態のデータから、エンジン性能評価に必要なトルクを求めることが出来るようになる。
【００６６】
表示部１０は、データメモリ５２，７２，８２に格納されている各種データ、モデルや、信号処理部５３での演算結果や、評価部９での評価結果等を表示する手段である。具体的に、表示部１０は、個々のデータや信号処理部５３での演算結果のみならず、複数のデータの関係グラフや、軌跡や、度数分布表や、標準偏差グラフ等を表示することが出来る。もちろん、データと信号処理部５３での演算結果とは、同一時間におけるものであれば、組み合わせて同一画面に表示することも可能である。
【００６７】
表示部１０において、例えば、スロットル開度を制御パラメータとした時のトルクと回転数の関係特性をグラフ表示することによって、エンジン１３の基本性能を視覚的に一目瞭然に把握することが可能となる。また、評価部９での評価結果を表示する場合も同様に、試験条件、測定されたデータ、補正データが有効ないし妥当なものであるか否かを容易に把握することが可能となる。
【実施例】
【００６８】
以下、エンジン計測装置１の全体動作について、図１のシステム構成図と、図２のフロー図を参照して説明する。尚、本来、制御パラメータには、数多くの種類が存在しているが、説明の簡略化から、本実施例のエンジン計測装置１では、回転数、アクセル開度、点火時期、点火進角といった、試験対象たるエンジン１３の性能を評価する基本となるパラメータを制御パラメータとして設定し、回転数、アクセル開度、点火時期を一定にして、点火進角を変化させて、台上試験を行なった際に、応答出力（エンジン性能パラメータ）として得られるトルクへの影響を求めることを例として示す。
【００６９】
まず、エンジン計測装置１は、台上試験の試験条件を設定する（Ｓ２１０）。本実施例での試験条件及びエンジン性能パラメータ、制御パラメータは、システム制御部１１で実験計画法等の公知の手法に従って設定される。
【００７０】
本実施例では、システム制御部１１は、トルクをエンジン性能パラメータとして選択し、回転数、アクセル開度、点火進角を制御パラメータとして選択する。
【００７１】
そして、試験形態が、定常試験（測定される全てのデータを定常状態にして得る試験）の場合は、例えば図３に示す様に、回転数を２０００、２５００、２８００ｒｐｍの３ポイントとし、アクセル開度を５、１０、１５％の３ポイントとして、更に、点火進角を０、５、１０、１５、２０度の５ポイントとして、合計３×３×５＝４５ポイントについて、回転数、アクセル開度、点火進角が予め設定された値に落ち着き、かつ、トルクが安定状態に達した後で、エンジン性能を測定する。
【００７２】
試験条件及び各種パラメータが設定されたら、まずは、定常試験を実行し、データを取得する（Ｓ２２０）。システム制御部１１は、エンジン制御部３及びダイナモメータ制御部４を制御してエンジン１３及びダイナモメータ１５を駆動させ、定常試験の実行を開始する。尚、試験実行時には、測定部５が取得可能なあらゆるデータをデータメモリ５２に保存しておき、試験終了後に、システム制御部１１が、モデル作成に用いるエンジン性能パラメータ及び制御パラメータを決定してもよい。
【００７３】
本実施例では、測定部５は、検出器２から、トルク及び回転数の時系列データを、またエンジン制御部３は、スロットル開度、燃料噴射時間等の時系列データを、それぞれ収集し、データメモリ５２に格納する。そして、信号処理部５３は、データメモリ５２に格納された時系列データの信号処理を行い（Ｓ２３０）、表示部１０が、図５（ａ）のような結果を表示する。
【００７４】
図５（ａ）は、回転数を２０００、３０００、４０００ｒｐｍと順次設定し、各設定された回転数毎に、アクセル開度を５、１０、１５度と順次設定し、更に、点火進角を０、５、１０、１５、２０度と設定して、その時のトルクを計測し、入力部５１からデータメモリ５２に格納された時系列データを、信号処理部５３で、時間同期処理、ノイズ除去処理、平均化処理等行なって、表示部１０に表示させたグラフである。尚、測定部５がＡＤ変換器を有している場合には、ＡＤ変換器の分解能に応じて、同一時間におけるトルク、回転数、スロットル開度等のデータセットがデータメモリ５２に格納される。
【００７５】
つまり、図５（ａ）に表示されているデータ波形は、時間的に連続となっているが、実際には、階段波形状の点火進角の段毎に、回転数とアクセル開度を一定値に安定させた上で測定が行なわれており、時間的に非連続な計４５ポイント分のデータであり、図５（ａ）の横軸に時間等の単位はない。尚、図５（ａ）に表示されているデータは、数値が安定してから５秒間取得したデータを平均化処理したものである。
【００７６】
この測定結果に基づいて、モデル作成部７１は、定常モデルを作成する（Ｓ２５０）。本実施例において、定常モデルは、測定されたトルク（エンジン性能パラメータ）を、同様に測定された回転数、アクセル開度、燃料噴射時間、点火進角等の制御パラメータの関数として表現したものである。
【００７７】
定常モデルが作成されたら、シミュレーション部７４は、この定常モデルを用いて仮想シミュレーションを行なう（Ｓ２６０）。本実施例では、定常モデルに含まれる制御パラメータのそれぞれに様々な数値を代入して、トルクを演算し、図５（ａ）同様のグラフを表示させる。この仮想シミュレーションの結果を図６（ａ）に示す。
【００７８】
検証部７３は、作成された定常モデルが、今後、エンジン性能評価に用いるのに有効ないし妥当なモデルであるかの検証を行なう（Ｓ２７０）。本実施例では、図６（ａ）に表示されたトルク（予想値）と、先の図５（ａ）におけるトルク（実測値）とを比較し、これらが相関度の高いものであるかを評価する。
【００７９】
図６（ａ）と図５（ａ）のトルクデータを比較すれば分かるように、これらは、相関係数０．９９７８と言う高い数値を示したので、作成された定常モデルは妥当なものであることが言える。尚、相関係数が低い、もしくは、エンジン性能評価に必要な相関係数水準が満たされていない場合には、所望の相関係数に達するまで、モデル作成部７１で定常モデルを再作成、パラメータの再選択・調整等を行い（Ｓ２８０）、再度シミュレーションを行なう（Ｓ２６０）。尚、パラメータの再選択・調整は、システム制御部１１が行なってももちろん構わない。
【００８０】
尚、作成した定常モデルでのトルクの予想値と、実測値との比較結果については、図示はしないが、例えば、表示部１０が相関図を表示して、視覚的に比較結果を確認出来るようにすることも可能である。
【００８１】
また、必要であれば、作成した定常モデルを用いて、エンジン制御部３を制御して、実機でのシミュレーションを行ない、実機シミュレーション結果と先に行なった定常試験の測定結果とを検証部７３において比較してもよい。
【００８２】
次に、過渡試験（いずれか１以上の制御パラメータを過渡状態で測定し、残りの制御パラメータを定常状態にして得る試験）の試験条件を設定する（Ｓ２９０）。本実施例では、制御パラメータのうち、点火進角が、システム制御部１１ないしはエンジン制御部３から、比較的、連続的に値を変化させやすいことから、先に行なわれた定常試験で制御パラメータに設定されていた点火進角を、過渡運転パラメータ（スイープ対象。試験中、時間的・数値的に連続変化させる制御パラメータ）として選択し、点火進角を変化させるのと同時に、過渡状態のトルクデータを取得する。その他の制御パラメータであるところの、回転数、アクセル開度、燃料噴射時間等については、定常試験同様、ある一定値に安定させてから、計測を開始することとする。
【００８３】
このように、先に行なわれた定常試験の結果に基づいて過渡運転パラメータを選択することによって、効率よく、過渡試験条件の設定、過渡試験の実施が行なわれるようになる。
【００８４】
尚、本実施例では、定常試験で設定された制御パラメータの中から、過渡運転パラメータを選択したが、定常試験で設定されていない新たな制御パラメータが、過渡運転パラメータとして選択されてもよい。また、過渡運転パラメータは、１種類である必要はなく、２種類以上選択されてもよい。
【００８５】
過渡試験の場合は、定常試験と同様の回転数３ポイントとアクセル開度３ポイントによる全ての組合せ９ポイントのそれぞれにつき、点火進角を０から２０度まで約４０秒で連続的に上昇および下降変化させる過程で、エンジン性能を測定する。つまり本実施例では、定常試験と過渡試験は、回転数とアクセル開度の組合わせを合計９ポイントに設定する点は同じであるが、点火進角の設定の仕方が異なっている。
【００８６】
この過渡試験方法での点火進角の設定模式図を図４に示している。前述したように、回転数及びアクセル開度は固定にして、点火進角を０から２０度まで約２０秒で連続的に上昇させ、その後、２０から０度まで約２０秒で連続的に下降させる。これは、上述した定常試験における点火進角の設定ポイントである０、５、１０、１５、２０度を含むものであり、このように定常試験の測定ポイントが含まれるように過渡試験を行なうことにより、過渡試験の測定結果が保証されることとなる。
【００８７】
試験条件及び各種パラメータが設定されたら、過渡試験を実行し、データを取得する（Ｓ３００）。システム制御部１１は、エンジン制御部３及びダイナモメータ制御部４を制御してエンジン１３及びダイナモメータ１５を駆動させ、過渡試験の実行を開始する。
【００８８】
測定部５は、検出器２からトルク及び回転数の時系列データを、またエンジン制御部３は、スロットル開度、燃料噴射時間等の時系列データを、それぞれ収集し、データメモリ５２に格納する。そして、信号処理部５３は、データメモリ５２に格納された時系列データの信号処理を行い（Ｓ３１０）、表示部１０が、図５（ｂ）のような結果を表示する。
【００８９】
図５（ｂ）に表示されているデータ波形は、時間的に連続となっているが、実際には、図４に示した点火進角の三角波形の１周期毎に、回転数とアクセル開度を一定値に安定させた上で測定が行なわれており、時間的に非連続なデータである。但し、三角波形の１周期（４０秒）の間に測定されるトルクデータは時間的に連続なデータであり、これが過渡試験で得られるデータに相当するものである。つまり、点火進角を時間的・数値的に連続変化させ、それに対応して（同期して）変化するトルクを測定したのが、図５（ｂ）である。
【００９０】
尚、本実施例では、測定サンプリング間隔は１０ｍｓｅｃとしており、点火進角を連続的に変化させてもモデル作成及びエンジン性能評価を行なうのに十分な分解能である。
【００９１】
この測定結果に基づいて、モデル作成部８１は、過渡モデルを作成する（Ｓ３３０）。尚、過渡モデルの作成方法については、先述した定常モデルの作成方法と同様である。
【００９２】
過渡モデルが作成されたら、シミュレーション部８４は、この過渡モデルを用いて仮想シミュレーションを行なう（Ｓ３４０）。本実施例では、過渡モデルに含まれる制御パラメータのそれぞれに様々な数値を代入して、トルクを演算し、図５（ｂ）同様のグラフを表示させる。この仮想シミュレーションの結果を図６（ｂ）に示す。
【００９３】
検証部８３は、作成された過渡モデルが、今後、エンジン性能評価に用いるのに有効ないし妥当なモデルであるかの検証を行なう（Ｓ３５０）。本実施例では、図６（ｂ）に表示されたトルク（予想値）と、先の図５（ｂ）におけるトルク（実測値）とを比較し、これらが相関度の高いものであるかを評価する。
【００９４】
図６（ｂ）と図５（ｂ）のトルクデータを比較すれば分かるように、これらは、相関係数０．９９７７と言う高い数値を示したので、作成された過渡モデルは妥当なものであることが言える。尚、相関係数が低い、もしくは、エンジン性能評価に必要な相関係数水準が満たされていない場合には、所望の相関係数に達するまで、モデル作成部８１で定常モデルを再作成、パラメータの再選択・調整等を行い、（Ｓ３６０）、再度シミュレーションを行なう（Ｓ３４０）。尚、パラメータの再選択・調整は、システム制御部１１が行なってももちろん構わない。
【００９５】
尚、作成した過渡モデルでのトルクの予想値と、実測値との比較結果については、図示はしないが、例えば、表示部１０が相関図を表示して、視覚的に比較結果を確認出来るようにすることも可能である。
【００９６】
また、必要であれば、作成した過渡モデルを用いて、エンジン制御部３を制御して、実機でのシミュレーションを行ない、実機シミュレーション結果と先に行なった過渡試験の測定結果とを検証部８３において比較してもよい。
【００９７】
更に、本実施例では、評価部９（比較部９２）が、モデル作成部７１，８１のそれぞれで作成された定常モデルと過渡モデルの比較を行う（Ｓ３６５）。点火進角を過渡運転パラメータに選択して、過渡試験を行なった結果に基づいて作成された過渡モデルのシミュレーション結果と、先の定常試験を行なった結果に基づいて作成された定常モデルのシミュレーション結果（図６（ａ），図６（ｂ））を重ね合わせたものを図７に示す。
【００９８】
図７により、定常モデルでのトルクの予想値と過渡モデルでのトルクの予想値とが重なって表示されていることから、これより、点火進角を過渡運転パラメータとして選択して行なわれた過渡試験の実用性が示されたこととなる。
【００９９】
定常モデルと過渡モデルのシミュレーション結果が一致しない場合には、現時点では、過渡モデルの作成、過渡試験条件の設定（過渡運転パラメータの選択方法等）に誤りがあるとされるので、従来通り、定常モデルを用いてエンジン性能の評価を行なうようにするか、もしくは、過渡モデルの修正（Ｓ３６０）、再度の仮想シミュレーション（Ｓ３４０）を行なう。
【０１００】
定常モデルと過渡モデルのシミュレーション結果が一致した場合には、過渡モデルを使用して、最終的に実機で過渡試験を行ない（Ｓ３７０）、信号処理部５３で信号処理された（Ｓ３８０）データを用いて、評価部９が、エンジン性能が予め定めたエンジン性能条件に適合しているか等を評価し（Ｓ４００）、表示部１０が評価結果等を表示する。また、過渡試験で取得したデータに基づいて求められたエンジン性能が、所定のエンジン性能条件に適合していると判断された場合には、各制御パラメータやモデルをデータメモリ等に保存する（Ｓ４１０）。
【０１０１】
尚、必要であれば、作成された過渡モデルを実機でのシミュレーション結果に基づき変更してもよい（Ｓ３６０）。
【０１０２】
また、過渡モデルと定常モデルの同一性が評価されれば、この過渡モデルを用いた実機シミュレーションの試験条件、例えば、点火進角を０から２０度まで約４０秒で連続的に上昇・下降変化させる時間を、更に高速化する等、変更・改良してもよい。
【０１０３】
ここで、点火進角を０から２０度まで連続的に上昇・下降変化させる時間を２、１０、４０秒の３パターンで実機試験を実施した時の、点火進角とトルクの関係特性を、図８（ａ）〜（ｃ）に示す。
【０１０４】
図８中、連続曲線で示されているのが、過渡試験で点火進角を連続スイープ（時間的・数値的に連続変化）させた結果であり、丸印で示されているのが、定常試験の結果である。定常試験では、点火進角が所定値になった時に対応する不連続なトルクしか測定できず、図８からは、過渡試験の定常試験に対する優位性が分かる。
【０１０５】
また、これらのグラフからは、点火進角を０から２０度まで連続的に上昇・下降変化させる時間を、４０→１０→２秒というように高速化しても、得られる点火進角とトルクの関係は、定常試験でも過渡試験でも変化しないことが分かる。
【０１０６】
つまり、本実施例では、エンジンの制御パラメータのうち回転数、アクセル開度の値を固定して、点火進角について、定常試験方法から、過渡試験方法への移行・変更が可能であることを示している。換言すれば、本エンジン計測装置１を用いれば、特定の制御パラメータについて、定常試験方法から、過渡試験方法への移行・変更の可能性が確認できるということである。
【０１０７】
そして、特定の制御パラメータについて、過渡試験方法に移行することが可能となれば、定常試験のように、全ての制御パラメータ及びエンジン性能パラメータの値が所定値に落ち着くのを待つ必要がなく、試験を開始することが出来るので、試験時間の大幅短縮につながる。制御パラメータの種類や測定項目が増えれば増える程、定常試験から過渡試験への移行が可能になれば、試験や評価・解析にかかる時間が短縮されるので有利であると言える。
【０１０８】
尚、表示部１０には、測定部５のデータに基づいて、任意の関係グラフや、標準偏差グラフや、度数分布表を表示することが可能である。もちろん、表示部１０は、シミュレーション部７および８、これまでの評価部９における評価に用いた全てのグラフを表示することが可能である。
【０１０９】
以上、エンジン計測装置の実施例につき説明したが、本発明のエンジン計測装置は、上記実施例で説明した構成要件の全てを備えたエンジン計測装置に限定されるものではなく、各種の変更及び修正が可能である。また、かかる変更及び修正についても本発明の特許請求の範囲に属することは言うまでもない。
【０１１０】
本実施例では、制御パラメータのうち、点火進角を、過渡運転パラメータとして使用することが出来るか否かの検証を行い、その結果、点火進角の値を連続的に変化させる過渡試験の結果に基づいて、エンジン性能が評価出来るようになることを示したが、点火進角以外の制御パラメータについても同様に、過渡運転パラメータとすることか出来るどうかを検証することが可能である。
【０１１１】
そして、定常試験と過渡試験の結果を比較、検証した結果、過渡試験の結果をエンジン性能評価に用いることが出来ないということになれば、当然、現行通り、定常試験の結果を、エンジン性能評価に用いることになる。
【０１１２】
このように、システム制御部１１は、評価部９による前記定常モデルと過渡モデルの比較結果に基づき、制御パラメータに応じて、過渡試験の結果をエンジン性能の評価に用いるか、定常試験の結果をエンジン性能の評価に用いるかが、適宜選択可能となり、これにより定常試験の試験条件の設定を一部ないしは全て、省略可能とすることが出来るので、試験・評価にかかる時間の短縮、作業の効率化が図られる。
【０１１３】
また、本発明のエンジン計測装置により、より多くの制御パラメータが過渡運転パラメータとして用いられることが実証されれば、自ずと、エンジン試験が効率的に行なわれるようになり、エンジン性能測定・評価の時間短縮が図られることとなる。
【０１１４】
実施例では、エンジン１３をダイナモメータ１５に接続した台上試験において、短時間に、点火進角の変化に対するトルクと回転数の関係特性を求めるための一例を示したが、本発明のエンジン計測装置は、エンジン１３に空気や燃料を供給して、燃料を燃焼させながら、回転数やトルクを変化させて、エンジン性能の測定・評価を行なう場合にも用いることが出来る。
【０１１５】
このような試験（一般にファイアリング試験という。一方、燃料を燃焼させずに行なう試験をモータリング試験という）においては、パラメータとして、エンジン入力側は空気注入量、燃料注入量、燃料と空気の混合比、点火タイミングを、エンジン出力側はトルク、回転数に加え、排気ガス成分、排気ガス量を得ることが出来るから、エンジン計測装置によって求められたトルクと回転数の関係特性を、これらパラメータ毎に過渡試験を行なって求め、トランスミッション制御に役立てることも可能となる。
【０１１６】
例えば、燃費（燃料流量とトルクの比）を制御パラメータとして、トルクと回転数の関係を求めれば、この関係に基づいて、効率的なトランスミッション制御方法を確立することが可能となる。また、排気ガス量をパラメータとして、トルクと回転数の関係を求めれば、近年の排気ガス規制に対応したトランスミッション制御方法を確立することが可能となる。
【０１１７】
尚、本実施例でのダイナモメータによる台上試験でエンジン性能を計測するエンジン計測装置に代えて、台上試験でもダイナモメータの代わりにミッション、サスペンション、車輪を接続した実車試験や、台上試験ではない実走行試験に用いられるエンジン計測装置であっても、測定部５によりトルクを求めることも出来る。
【０１１８】
この場合には、評価部９において試験条件の妥当性評価、及び／又は、測定されたデータの信頼性評価、及び／又は、算出された補正データやトルクの有効性評価を実施し、小さいトルクから最大トルクまでエンジンの全ての状態が平均的に分布したデータを得るようにすることによって、測定部５により算出されたトルクの信頼性を確保することが出来る。
【０１１９】
更に、前述の応用について、モデルの予測精度の改良、既に述べた、吸入空気、ＮＯｘ、ＰＭ以外についても、その他のデータについてのモデルの有効性への検証が行なえるようになる。
【図面の簡単な説明】
【０１２０】
【図１】エンジン計測装置の概略接続構成を示す図である。
【図２】エンジン計測装置の全体動作を示すフロー図である。
【図３】定常試験条件の設定例である。
【図４】点火進角を過渡運転パラメータとした時の過渡試験条件の設定例である。
【図５】定常試験及び過渡試験時に測定されたデータを示す図である。
【図６】作成されたモデルでのシミュレーションした結果を示す図である。
【図７】定常モデル及び過渡モデルでのシミュレーション結果を比較した図である。
【図８】定常試験及び過渡試験時に測定された点火進角とトルクのデータを示す図である。
【符号の説明】
【０１２１】
１：エンジン計測装置
１３：エンジン
１５：ダイナモメータ
１６：架台
１６a：エンジン保持機構
１４：トルク伝達軸
１４ａ：ユニバーサルジョイント
２：検出器
３：エンジン制御部
４：ダイナモメータ制御部
５：測定部
５１：入力部
５２：データメモリ
５３：信号処理部
７：定常モデルシミュレーション部
７１：モデル作成部
７２：データメモリ
７３：検証部
７４：シミュレーション部
８：過渡モデルシミュレーション部
８１：モデル作成部
８２：データメモリ
８３：検証部
８４：シミュレーション部
９：評価部
９２：比較部
１０：表示部
１１：システム制御部
１２：操作部
【図１】
0004566900.tif 000003
【図２】
0004566900.tif 000004
【図３】
0004566900.tif 000005
【図４】
0004566900.tif 000006
【図５】
0004566900.tif 000007
【図６】
0004566900.tif 000008
【図７】
0004566900.tif 000009
【図８】
0004566900.tif 000010